(57)【要約】【課題】簡単な回路構成によって光伝送における信頼性と伝送装置およびケーブルの接続時の利便性とを向上させることが可能な技術が提供されることが望まれる。【解決手段】光電複合ケーブルに接続されるコネクタレセクタプル部を備え、前記コネクタレセクタプル部は、第１の電極群と、前記コネクタレセクタプル部の本体の中心を基準として前記第１の電極群を１８０度回転させた位置に設けられた第２の電極群と、第１の光信号送信用接続部群と、前記コネクタレセクタプル部の本体の中心を基準として前記第１の光信号送信用接続部群を１８０度回転させた位置に設けられた第２の光信号送信用接続部群と、を備える、送信装置が提供される。【選択図】図１
2018135065.tif 000002
【特許請求の範囲】
【請求項１】
光電複合ケーブルに接続されるコネクタレセクタプル部を備え、
前記コネクタレセクタプル部は、
第１の電極群と、
前記コネクタレセクタプル部の本体の中心を基準として前記第１の電極群を１８０度回転させた位置に設けられた第２の電極群と、
第１の光信号送信用接続部群と、
前記コネクタレセクタプル部の本体の中心を基準として前記第１の光信号送信用接続部群を１８０度回転させた位置に設けられた第２の光信号送信用接続部群と、
を備える、送信装置。
【請求項２】
前記第１の電極群は、前記コネクタレセクタプル部と前記光電複合ケーブルのコネクタプラグ部とが第１の向きで接続されている場合、前記光電複合ケーブルのコネクタプラグ部が有する複数の電極に接続される、
請求項１に記載の送信装置。
【請求項３】
前記第２の電極群は、前記コネクタレセクタプル部と前記光電複合ケーブルのコネクタプラグ部とが前記第１の向きとは逆向きの第２の向きで接続されている場合、前記光電複合ケーブルのコネクタプラグ部が有する前記複数の電極に接続される、
請求項２に記載の送信装置。
【請求項４】
前記第１の光信号送信用接続部群は、前記コネクタレセクタプル部と前記光電複合ケーブルのコネクタプラグ部とが前記第１の向きで接続されている場合、前記光電複合ケーブルが有する第１の光ファイバ群に接続される、
請求項３に記載の送信装置。
【請求項５】
前記第１の光信号送信用接続部群は、前記コネクタレセクタプル部と前記光電複合ケーブルのコネクタプラグ部とが前記第２の向きで接続されている場合、前記光電複合ケーブルが有する第２の光ファイバ群に接続される、
請求項４に記載の送信装置。
【請求項６】
前記第１の電極群は、第１の電圧検出用電極を有し、
前記第２の電極群は、前記コネクタレセクタプル部の本体の中心を基準として前記第１の電圧検出用電極を１８０度回転させた位置に設けられた第２の電圧検出用電極を有し、
前記送信装置は、
受信装置によって前記光電複合ケーブルを介して前記第１の電圧検出用電極に印加された電圧を検出する第１の電圧検出部と、
前記受信装置によって前記光電複合ケーブルを介して前記第２の電圧検出用電極に印加された電圧を検出する第２の電圧検出部と、を有する、
請求項１に記載の送信装置。
【請求項７】
前記送信装置は、
前記第１の電圧検出用電極に印加された所定レベルの電圧が検出された場合と前記第２の電圧検出用電極に印加された前記所定レベルの電圧が検出された場合とにおいて、第１の光信号送信用接続部群への入力信号と第２の光信号送信用接続部群への入力信号とが入れ替わるように制御する制御部を備える、
請求項６に記載の送信装置。
【請求項８】
前記送信装置は、
前記第１の電圧検出用電極または前記第２の電圧検出用電極に印加された所定レベルの電圧が検出された場合、第１の光信号送信用接続部群および第２の光信号送信用接続部群に繋がる電光変換器による光信号の発振を制御する制御部を備える、
請求項６に記載の送信装置。
【請求項９】
前記制御部は、前記発振の結果として判断された前記第１の光信号送信用接続部群および前記第２の光信号送信用接続部群それぞれの有効性に基づいて、使用される信号経路を制御する、
請求項８に記載の送信装置。
【請求項１０】
前記送信装置は、
前記第１の電極群は、第１の電圧印加用電極を有し、
前記第２の電極群は、前記コネクタレセクタプル部の本体の中心を基準として前記第１の電圧印加用電極を１８０度回転させた位置に設けられた第２の電圧印加用電極を有し、
前記送信装置は、
前記第１の電圧印加用電極および前記第２の電圧印加用電極に対して所定レベルの電圧を印加する電圧発生部を有する、
請求項１に記載の送信装置。
【請求項１１】
光電複合ケーブルに接続されるコネクタレセクタプル部を備え、
前記コネクタレセクタプル部は、
第１の電極群と、
前記コネクタレセクタプル部の本体の中心を基準として前記第１の電極群を１８０度回転させた位置に設けられた第２の電極群と、
第１の光信号受信用接続部群と、
前記コネクタレセクタプル部の本体の中心を基準として前記第１の光信号受信用接続部群を１８０度回転させた位置に設けられた第２の光信号受信用接続部群と、
を備える、受信装置。
【請求項１２】
前記第１の電極群は、前記コネクタレセクタプル部と前記光電複合ケーブルとが第１の向きで接続されている場合、前記光電複合ケーブルのコネクタプラグ部が有する複数の電極に接続される、
請求項１１に記載の受信装置。
【請求項１３】
前記第２の電極群は、前記コネクタレセクタプル部と前記光電複合ケーブルとが前記第１の向きとは逆向きの第２の向きで接続されている場合、前記光電複合ケーブルのコネクタプラグ部が有する複数の電極に接続される、
請求項１２に記載の受信装置。
【請求項１４】
前記第１の光信号受信用接続部群は、前記コネクタレセクタプル部と前記光電複合ケーブルのコネクタプラグ部とが前記第１の向きで接続されている場合、前記光電複合ケーブルが有する第１の光ファイバ群に接続される、
請求項１３に記載の受信装置。
【請求項１５】
前記第１の光信号受信用接続部群は、前記コネクタレセクタプル部と前記光電複合ケーブルのコネクタプラグ部とが前記第２の向きで接続されている場合、前記光電複合ケーブルが有する第２の光ファイバ群に接続される、
請求項１４に記載の受信装置。
【請求項１６】
前記第１の電極群は、第１の電圧検出用電極を有し、
前記第２の電極群は、前記コネクタレセクタプル部の本体の中心を基準として前記第１の電圧検出用電極を１８０度回転させた位置に設けられた第２の電圧検出用電極を有し、
前記受信装置は、
送信装置によって前記光電複合ケーブルを介して前記第１の電圧検出用電極に印加された電圧を検出する第１の電圧検出部と、
前記送信装置によって前記光電複合ケーブルを介して前記第２の電圧検出用電極に印加された電圧を検出する第２の電圧検出部と、を有する、
請求項１１に記載の受信装置。
【請求項１７】
前記受信装置は、
前記第１の電圧検出用電極に印加された所定レベルの電圧が検出された場合と前記第２の電圧検出用電極に印加された前記所定レベルの電圧が検出された場合とにおいて、第１の光信号受信用接続部群からの信号出力先と第２の光信号受信用接続部群からの信号出力先とが入れ替わるように制御する制御部を備える、
請求項１６に記載の受信装置。
【請求項１８】
前記受信装置は、
前記第１の電圧検出用電極または前記第２の電圧検出用電極に印加された所定レベルの電圧が検出された場合、第１の光信号受信用接続部群および第２の光信号受信用接続部群に繋がる光電変換器群における受光結果に基づいて、前記第１の光信号受信用接続部群および前記第２の光信号受信用接続部群それぞれの有効性を判断する制御部を備える、
請求項１６に記載の受信装置。
【請求項１９】
前記制御部は、前記第１の光信号受信用接続部群および前記第２の光信号受信用接続部群それぞれの有効性に基づいて、使用される信号経路を制御する、
請求項１８に記載の受信装置。
【請求項２０】
前記受信装置は、
前記第１の電極群は、第１の電圧印加用電極を有し、
前記第２の電極群は、前記コネクタレセクタプル部の本体の中心を基準として前記第１の電圧印加用電極を１８０度回転させた位置に設けられた第２の電圧印加用電極を有し、
前記受信装置は、
前記第１の電圧印加用電極および前記第２の電圧印加用電極に対して所定レベルの電圧を印加する電圧発生部を有する、
請求項１１に記載の受信装置。
【請求項２１】
送信装置に接続される送信側コネクタプラグ部を有し、
前記送信側コネクタプラグ部は、
前記送信装置のコネクタレセクタプル部が有する第１の電極群または第２の電極群と接続される送信側電極群と、
前記送信装置のコネクタレセクタプル部が有する光信号送信用接続部群と接続される光ファイバ群と、
を備える、光電複合ケーブル。
【請求項２２】
前記光電複合ケーブルは、
受信装置に接続される受信側コネクタプラグ部を有し、
前記受信側コネクタプラグ部は、
前記受信装置のコネクタレセクタプル部が有する第１の電極群または第２の電極群と接続される受信側電極群と、
前記送信側電極群と前記受信側電極群とを接続する金属線と、
を備える、請求項２１に記載の光電複合ケーブル。
【発明の詳細な説明】
【技術分野】
【０００１】
本開示は、送信装置、受信装置および光電複合ケーブルに関する。
【背景技術】
【０００２】
近年、複数のレーンを用いて映像信号（Ｖｉｄｅｏ信号）を送信する技術として、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、Ｄｉｓｐｌａｙ  Ｐｏｒｔ（以下、単に「ＤＰ」とも言う。）などが知られている。これらの規格では、４Ｋ映像信号および８Ｋ映像信号などといった超高精細な映像信号を伝送するような状況になりつつある。【０００３】
このような超高精細な映像信号の伝送速度は、数１０Ｇｂｐｓから１００Ｇｂｐｓ超えるようになりつつあるが、金属素材ケーブルを用いて、このような映像信号を伝送する場合には、数ｍの距離を伝送することも難しくなってきている。かかる状況の下、金属素材ケーブルを用いた電気信号の伝送に代わり、光ファイバを用いた光伝送を用いることで伝送距離を伸ばすことが可能な場合があり、ＡＯＣ（Ａｃｔｉｖｅ  Ｏｐｔｉｃａｌ  Ｃａｂｌｅ）が市場に登場している。【０００４】
ＡＯＣは、電気コネクタ部を有しており、この電気コネクタ部によって機器とケーブルとの間が電気信号で接続される。また、ＡＯＣは、ケーブルプラグ内に光電変換部を有しており、光電変換部によって電気信号を光信号に変換し、電気信号から変換した後の光信号を光ファイバで伝送する。一方、ＡＯＣとは異なり、機器とケーブルとが直接的に光接続され、光伝送に特有のファイバ折れ、光素子の劣化などに対応するために、冗長な光ファイバを使用する技術が開示されている（特許文献１参照。）。
【先行技術文献】
【特許文献】
【０００５】
【特許文献１】特開２０１６−１８４８５８号公報
【発明の概要】
【発明が解決しようとする課題】
【０００６】
しかし、簡単な回路構成によって光伝送における信頼性と伝送装置およびケーブルの接続時の利便性とを向上させることが可能な技術が提供されることが望まれる。
【課題を解決するための手段】
【０００７】
本開示によれば、光電複合ケーブルに接続されるコネクタレセクタプル部を備え、前記コネクタレセクタプル部は、第１の電極群と、前記コネクタレセクタプル部の本体の中心を基準として前記第１の電極群を１８０度回転させた位置に設けられた第２の電極群と、第１の光信号送信用接続部群と、前記コネクタレセクタプル部の本体の中心を基準として前記第１の光信号送信用接続部群を１８０度回転させた位置に設けられた第２の光信号送信用接続部群と、を備える、送信装置が提供される。【０００８】
本開示によれば、光電複合ケーブルに接続されるコネクタレセクタプル部を備え、前記コネクタレセクタプル部は、第１の電極群と、前記コネクタレセクタプル部の本体の中心を基準として前記第１の電極群を１８０度回転させた位置に設けられた第２の電極群と、第１の光信号受信用接続部群と、前記コネクタレセクタプル部の本体の中心を基準として前記第１の光信号受信用接続部群を１８０度回転させた位置に設けられた第２の光信号受信用接続部群と、を備える、受信装置が提供される。【０００９】
本開示によれば、送信装置に接続される送信側コネクタプラグ部を有し、前記送信側コネクタプラグ部は、前記送信装置のコネクタレセクタプル部が有する第１の電極群または第２の電極群と接続される送信側電極群と、前記送信装置のコネクタレセクタプル部が有する光信号送信用接続部群と接続される光ファイバ群と、を備える、光電複合ケーブルが提供される。
【発明の効果】
【００１０】
以上説明したように本開示によれば、簡単な回路構成によって光伝送における信頼性と伝送装置およびケーブルの接続時の利便性とを向上させることが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】第１の実施形態に係る伝送装置が備えるコネクタレセクタプル部の構成を示した図である。
【図２】コネクタレセクタプル部の電極構造の一例を示す図である。
【図３】コネクタレセクタプル部の光ファイバ接続部群の構成の一例を示す図である。
【図４】光電複合ケーブルの一例の構成を示した図である。
【図５】光電複合ケーブルのコネクタプラグ部の構成を示した図である。
【図６】光電複合ケーブルの光ファイバ接続部群の構成の一例を示す図である。
【図７】第１の実施形態に係る信号伝送システムの全体構成図を示す図である。
【図８】光送信部の構成例を示す図である。
【図９】光受信部の構成例を示す図である。
【図１０Ａ】両方のコネクタプラグ部が上向きで接続された場合における接続先切り替え前の状態を示す図である。
【図１０Ｂ】両方のコネクタプラグ部が上向きで接続された場合における接続先切り替え後の状態を示す図である。
【図１１Ａ】送信側の伝送装置に対してコネクタプラグ部が下向きで接続された場合における接続先切り替え前の状態を示す図である。
【図１１Ｂ】送信側の伝送装置に対してコネクタプラグ部が下向きで接続された場合における接続先切り替え後の状態を示す図である。
【図１２Ａ】受信側の伝送装置に対してコネクタプラグ部が下向きで接続された場合における接続先切り替え前の状態を示す図である。
【図１２Ｂ】受信側の伝送装置に対してコネクタプラグ部が下向きで接続された場合における接続先切り替え後の状態を示す図である。
【図１３Ａ】両方のコネクタプラグ部が下向きで接続された場合における接続先切り替え前の状態を示す図である。
【図１３Ｂ】両方のコネクタプラグ部が下向きで接続された場合における接続先切り替え後の状態を示す図である。
【図１４】すべての経路が正常な場合における有効光信号経路確認を説明するための図である。
【図１５】光電変換器に異常が生じた場合における有効光信号経路確認を説明するための図である。
【図１６】４入力８出力マルチプレクサの例を示す図である。
【図１７】８入力４出力マルチプレクサの例を示す図である。
【図１８】第２の実施形態に係る信号伝送システムの全体構成図を示す図である。
【発明を実施するための形態】
【００１２】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１３】
また、本明細書および図面において、実質的に同一の機能構成を有する複数の構成要素を、同一の符号の後に異なる数字を付して区別する。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する。
【００１４】
なお、説明は以下の順序で行うものとする。
０．概要
１．第１の実施形態
１．１．構成の説明
１．２．動作の説明
２．第２の実施形態
２．１．構成の説明
３．むすび
【００１５】
（０．概要）
まず、本実施形態の概要について説明する。近年、複数のレーンを用いて映像信号（Ｖｉｄｅｏ信号）を送信する技術として、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、Ｄｉｓｐｌａｙ  Ｐｏｒｔ（以下、単に「ＤＰ」とも言う。）などが知られている。これらの規格では、４Ｋ映像信号および８Ｋ映像信号などといった超高精細な映像信号を伝送するような状況になりつつある。
【００１６】
このような超高精細な映像信号の伝送速度は、数１０Ｇｂｐｓから１００Ｇｂｐｓ超えるようになりつつあるが、金属素材ケーブルを用いて、このような映像信号を伝送する場合には、数ｍの距離を伝送することも難しくなってきている。かかる状況の下、金属素材ケーブルを用いた電気信号の伝送に代わり、光ファイバを用いた光伝送を用いることで伝送距離を伸ばすことが可能な場合があり、ＡＯＣ（Ａｃｔｉｖｅ  Ｏｐｔｉｃａｌ  Ｃａｂｌｅ）が市場に登場している。
【００１７】
ＡＯＣは、電気コネクタ部を有しており、この電気コネクタ部によって機器とケーブルとの間が電気信号で接続される。また、ＡＯＣは、ケーブルプラグ内に光電変換部を有しており、光電変換部によって電気信号を光信号に変換し、電気信号から変換した後の光信号を光ファイバで伝送する。しかしながら、ＡＯＣでは、単純に高速信号を伝送する一般的な金属素材ケーブルを光ファイバに置き換えただけであり、光伝送特有のファイバ折れや光素子劣化時などに対する保護手段が存在していない。また、ＡＯＣでは、一般的なコネクタ構造を利用するために、ＵＳＢ  Ｔｙｐｅ−Ｃなどとは異なり、コネクタ上下向きを考慮せずに接続ができるようになっていない。
【００１８】
一方、ＡＯＣとは異なり、機器とケーブルとが直接的に光接続され、光伝送に特有のファイバ折れ、光素子の劣化などに対応するために、冗長な光ファイバを使用する技術が開示されている（特開２０１６−１８４８５８号公報参照。）。しかし、かかる技術においては、一般的なＨＤＭＩおよびＤＰとは異なる伝送フォーマットを使用することが前提となっており、それらを実装することはコスト高となる。
【００１９】
そこで、本明細書においては、ＨＤＭＩおよびＤＰなどにおいて使用される一般的な伝送フォーマットを極力変更することなく、簡単な回路構成によって光伝送における信頼性と伝送装置およびケーブルの接続時の利便性とを向上させることが可能な技術について主に説明する。
【００２０】
以上、本実施形態の概要について説明した。
【００２１】
（１．第１の実施形態）
続いて、第１の実施形態について説明する。
【００２２】
（１−１．構成の説明）
まず、第１の実施形態に係る信号伝送システム１Ａの構成例について説明する。図１は、第１の実施形態に係る伝送装置が備えるコネクタレセクタプル部の構成を示した図である。コネクタレセクタプル部は、光電複合コネクタ構造である。詳細を説明する。コネクタレセクタプル部本体は、後で説明する光電複合ケーブル２０のコネクタプラグ部２００と嵌合する部分であり、図１には、コネクタプラグ部２００と接続する接続面方向から見た構造が示されている。
【００２３】
電極群１０１は、コネクタレセクタプル部に取り付けられた電極群であり、光電複合ケーブル２０のコネクタプラグ部に取り付けられた電極群２０１と接続され、映像音声伝送時に必要な比較的低速な信号を電気的に伝送するために使用される。電極群１０２は、電極群１０１と同様にネクタレセクタプル部に取り付けられた電極群であり、電極群１０１とは、コネクタレセクタプル部本体の中心に対して点対称な位置に取り付けられる。これは、図２で示すように、電極１０１１と電極１０２１、電極１０１２と電極１０２２、電極１０１３と電極１０２３、電極１０１４と電極１０２４、さらに電極１０１５と電極１０２５が、コネクタレセクタプル部の中心に対して点対称な位置にある電極対であり、電極対には同一の機能が割当てられる。
【００２４】
図１に戻って説明を続ける。光ファイバ接続部群１０３は、光電複合コネクタ構造の光ファイバ接続部群である。本例では、一例として光ファイバ接続部群として合計１６の光ファイバ接続部が示されている。光ファイバ接続部群（光信号送信用接続部群）１０３は、映像音声伝送時に、主として映像信号など超高速な信号を光信号として光ファイバを通して伝送するために使用される。
【００２５】
図３に、光ファイバ接続部群１０３の詳細を示す。光信号を送信する光ファイバ接続部群１０３のうち、光信号送信用接続部群は、光信号送信用接続部１０３１、光信号送信用接続部１０３３、光信号送信用接続部１０３５、光信号送信用接続部１０３７、光信号送信用接続部１０３９、光信号送信用接続部１０３１１、光信号送信用接続部１０３１３、光信号送信用接続部１０３１５を含む。
【００２６】
同様に、光信号受信用接続部群は、光信号受信用接続部１０３２、光信号受信用接続部１０３４、光信号受信用接続部１０３６、光信号受信用接続部１０３８、光信号受信用接続部１０３１０、光信号受信用接続部１０３１２、光信号受信用接続部１０３１４、光信号受信用接続部１０３１６を含む。
【００２７】
図１および図３に示すように、光ファイバ接続部群１０３も、偶数本数の光信号送信用接続部が、コネクタレセクタプル部本体の中心に対して点対称な位置になるような構造をとり、また、偶数本数の光信号受信用接続部が、コネクタレセクタプル部本体の中心に対して点対称な位置になるような構造をとる。このような構造により、光電複合ケーブル２０のコネクタプラグ部をコネクタレセクタプル部に接続する際に、コネクタプラグ部の上下向きのいずれの向きでも信号を接続させることができる。
【００２８】
図１に戻って説明を続ける。電圧発生器１０４は、電圧を発生する機能を有し、コネクタレセクタプル部１００の電極群１０１の電極１０１１とその対称電極である電極１０２１に、一定レベルの電圧を供給する。電圧検出器１０５は、電圧を検出する機能を有し、コネクタレセクタプル部１００の電極群１０１の電極１０１５と接続され、電極１０１５に一定レベルの電圧が供給されているかを監視する。電圧検出器１０６は、電圧を検出する機能を有し、コネクタレセクタプル部１００の電極群１０２の電極１０２５と接続され、電極１０２５に一定レベルの電圧が供給されているかを監視する。
【００２９】
図４は、第１の実施形態に係る光電複合ケーブル２０の一例の構成を示した図である。コネクタプラグ部２００は、光電複合ケーブル２０の両端に配置される。コネクタプラグ部２００は、伝送装置が備えるコネクタレセクタプル部１００と嵌合することにより、電極群２０１および光ファイバ接続部群２０３を介して、電気信号および光信号を伝送する。ケーブル２０４は、光電複合ケーブル２０の両端に配置したコネクタプラグ部２００（図４）の光ファイバ接続部群２０３をつなぐ光ファイバ群と、コネクタプラグ部２００の電極群２０１間をつなぐ金属線群とを含む。
【００３０】
図５は、光電複合ケーブル２０のコネクタプラグ部２００をコネクタプラグ部２００の接続面から見た構造を示している。電極群２０１は、コネクタプラグ部２００の上面に取り付けられた電極群であり、電極２０１１、電極２０１２、電極２０１３、電極２０１４、電極２０１５は、電極一つ一つを示している。図４に示したように、コネクタプラグ部２００に取り付けられた電極群２０１は、光電複合ケーブル２０の両端それぞれのコネクタプラグ部２００における同一面に配置される。
【００３１】
また、光電複合ケーブル２０の両端の電極群２０１の電極２０１１、電極２０１２、電極２０１３、電極２０１４、電極２０１５は、それぞれ同一番号同士が、ケーブル２０４の金属線群で接続される。光ファイバ接続部群２０３は、本例ではコネクタレセクタプル部と対になるように配置される。
【００３２】
図６は、光ファイバ接続部群２０３の詳細を示した図である。光ファイバ接続部２０３１、光ファイバ接続部２０３２、光ファイバ接続部２０３３、光ファイバ接続部２０３４、光ファイバ接続部２０３５、光ファイバ接続部２０３６、光ファイバ接続部２０３７、光ファイバ接続部２０３８、光ファイバ接続部２０３９、光ファイバ接続部２０３１０、光ファイバ接続部２０３１１、光ファイバ接続部２０３１２、光ファイバ接続部２０３１３、光ファイバ接続部２０３１４、光ファイバ接続部２０３１５、光ファイバ接続部２０３１６には、それぞれケーブル２０４の光ファイバが接続される。
【００３３】
光電複合ケーブル２０の両端にあるコネクタプラグ部２００の光ファイバ接続群２０３に含まれる光ファイバ接続部２０３１〜２０３１６は、それぞれ同じ番号同士がケーブル２０４の光ファイバ群で接続される。つまり、光ファイバ接続部２０３１と光ファイバ接続部２０３１が接続され、光ファイバ接続部２０３２と光ファイバ接続部２０３２が接続される。光ファイバ接続部２０３３から光ファイバ接続部２０３１６までも同様に同じ番号同士が接続される。
【００３４】
図７は、第１の実施形態に係る信号伝送システム１Ａの全体構成図を示す図である。伝送装置１０Ａは、映像音声信号の送信機能を有している。映像信号ソース１１０は、高精細の映像信号ソースである。映像音声信号送信部１２０は、一般的な映像音声信号送信部であってよく、例えば、ＨＤＭＩ送信器やＤｉｓｐｌａｙＰｏｒｔの送信器であってよい。高速信号線群１２０１は、一般的な映像音声信号送信部から出力される高速信号線群であり、例えば、ＨＤＭＩにおけるＴＭＤＳ信号線であってもよいし、ＤｉｓｐｌａｙＰｏｒｔにおけるＭａｉｎ  Ｌｉｎｋ信号線であってもよい。低速信号線群１２０２は、一般的な映像音声信号送信部から出力される比較的低速な信号線群であり、例えば、ＨＤＭＩにおけるＤＤＣやＣＥＣであってもよいし、ＤｉｓｐｌａｙＰｏｒｔにおけるＡＵＸなどであってよい。
【００３５】
マルチプレクサ１３０は、ｍ入力ｎ出力（ｍ＜ｎ）のマルチプレクサであり、入力された高速信号線群１２０１を出力選択信号１６３に従い、２入力２出力のマルチプレクサ群１４０のいずれかの入力ポートに出力する。２入力２出力のマルチプレクサ群１４０は、本例では４つのマルチプレクサで構成される。これら２入力２出力のマルチプレクサは、いずれも制御信号１６１に従い、入力された２入力信号を排他的に、２出力のいずれかに出力する。
【００３６】
図８に、詳細な構成を示す。２入力２出力マルチプレクサ１４１の２出力は、電光変換器（Ｅ／Ｏ）１５１、１５２に接続される。電光変換器１５１は、コネクタレセクタプル部１００の光信号送信用接続部１０３１と接続される。電光変換器１５２は、コネクタレセクタプル部１００の光信号送信用接続部１０３３と接続される。
【００３７】
光信号送信用接続部１０３１、１０３３は、図３に示したようにコネクタレセクタプル部１００の点対称位置にある光ファイバ接続部である。光電複合ケーブル２０のコネクタプラグ部２００の接続向きにより、コネクタレセクタプル部１００の（光信号送信用接続部１０３１、１０３３を含む）光ファイバ接続部群１０３と光電複合ケーブル２０のコネクタプラグ部２００の光ファイバ接続部群２０３との接続関係が入れ替わる。
【００３８】
２入力２出力マルチプレクサ１４１は、出力先である電光変換器１５１と電光変換器１５２とを入れ替えることによって、光電複合ケーブル２０のコネクタプラグ部２００の接続向きにより、コネクタレセクタプル部１００の光ファイバ接続部群１０３と光電複合ケーブル２０のコネクタプラグ部２００の光ファイバ接続部群２０３との接続関係が入れ替わった場合でも、入れ替わった接続関係を元の接続関係に戻すことができる。
【００３９】
同様に、２入力２出力マルチプレクサ１４２の２出力は、電光変換器（Ｅ／Ｏ）１５３、１５４に接続され、２入力２出力マルチプレクサ１４３の２出力は、電光変換器（Ｅ／Ｏ）１５５、１５６に接続され、２入力２出力マルチプレクサ１４４の２出力は、電光変換器（Ｅ／Ｏ）１５７、１５８に接続される。電光変換器（Ｅ／Ｏ）１５３は、コネクタレセクタプル部１００の光信号送信用接続部１０３５と接続される。電光変換器（Ｅ／Ｏ）１５４は、コネクタレセクタプル部１００の光信号送信用接続部１０３７と接続される。
【００４０】
光信号送信用接続部１０３５、１０３７は、図３に示したようにコネクタレセクタプル部１００の点対称位置にある光ファイバ接続部である。光電複合ケーブル２０のコネクタプラグ部２００の接続向きにより、コネクタレセクタプル部１００の（光信号送信用接続部１０３５、１０３７を含む）光ファイバ接続部群１０３と光電複合ケーブル２０のコネクタプラグ部２００の光ファイバ接続部群２０３との接続関係が入れ替わる。
【００４１】
したがって、２入力２出力マルチプレクサ１４１と同様に、２入力２出力マルチプレクサ１４２は、出力先である電光変換器１５３と電光変換器１５４とを入れ替えることによって、光電複合ケーブル２０のコネクタプラグ部２００の接続向きにより、コネクタレセクタプル部１００の光ファイバ接続部群１０３と光電複合ケーブル２０のコネクタプラグ部２００の光ファイバ接続部群２０３との接続関係が入れ替わった場合でも、入れ替わった接続関係を元の接続関係に戻すことができる。
【００４２】
電光変換器（Ｅ／Ｏ）１５５は、コネクタレセクタプル部１００の光信号送信用接続部１０３９と接続される。電光変換器（Ｅ／Ｏ）１５６は、コネクタレセクタプル部１００の光信号送信用接続部１０３１１と接続される。光信号送信用接続部１０３９、１０３１１は、図３に示したようにコネクタレセクタプル部１００の点対称位置にある光ファイバ接続部である。光電複合ケーブル２０のコネクタプラグ部２００の接続向きにより、コネクタレセクタプル部１００の（光信号送信用接続部１０３９、１０３１１を含む）光ファイバ接続部群１０３と光電複合ケーブル２０のコネクタプラグ部２００の光ファイバ接続部群２０３との接続関係が入れ替わる。
【００４３】
したがって、２入力２出力マルチプレクサ１４１と同様に、２入力２出力マルチプレクサ１４３は、出力先である電光変換器１５５と電光変換器１５６とを入れ替えることによって、光電複合ケーブル２０のコネクタプラグ部２００の接続向きにより、コネクタレセクタプル部１００の光ファイバ接続部群１０３と光電複合ケーブル２０のコネクタプラグ部２００の光ファイバ接続部群２０３との接続関係が入れ替わった場合でも、入れ替わった接続関係を元の接続関係に戻すことができる。
【００４４】
電光変換器（Ｅ／Ｏ）１５７は、コネクタレセクタプル部１００の光信号送信用接続部１０３１３と接続される。電光変換器（Ｅ／Ｏ）１５８は、コネクタレセクタプル部１００の光信号送信用接続部１０３１５と接続される。光信号送信用接続部１０３１３、１０３１５は、図３に示したようにコネクタレセクタプル部１００の点対称位置にある光ファイバ接続部である。光電複合ケーブル２０のコネクタプラグ部２００の接続向きにより、コネクタレセクタプル部１００の（光信号送信用接続部１０３１３、１０３１５を含む）光ファイバ接続部群１０３と光電複合ケーブル２０のコネクタプラグ部２００の光ファイバ接続部群２０３との接続関係が入れ替わる。
【００４５】
したがって、２入力２出力マルチプレクサ１４１と同様に、２入力２出力マルチプレクサ１４４は、出力先である電光変換器１５７と電光変換器１５８とを入れ替えることによって、光電複合ケーブル２０のコネクタプラグ部２００の接続向きにより、コネクタレセクタプル部１００の光ファイバ接続部群１０３と光電複合ケーブル２０のコネクタプラグ部２００の光ファイバ接続部群２０３との接続関係が入れ替わった場合でも、入れ替わった接続関係を元の接続関係に戻すことができる。
【００４６】
図７に戻って説明を続ける。コネクタレセクタプル部１００は、図１で説明したコネクタレセクタプル部本体であり、電極群１０１および電極群１０２は、既に説明したようにコネクタレセクタプル部１００に取り付けられた電極群であり、互いに、コネクタレセクタプル部本体の中心に対して点対称な位置になるように取り付けられている。また、図１および図２で既に説明したように、電極群１０１の電極１０１１および電極群１０２の電極１０２１には、一定レベルの電圧を発生する電圧発生器１０４が接続されている。
【００４７】
さらに、図１および図２で既に説明したように、電極群１０１の電極１０１５には、電圧検出器１０５が接続され、その検出結果は、制御器１６０に接続されている。また、電極群１０２の電極１０２５には、電圧検出器１０６が接続され、その検出結果は、制御器１６０に接続されている。
【００４８】
また、電極群１０１の電極１０１４および電極１０１４と点対称位置にある、電極群１０２の電極１０２４は、伝送装置３０Ａからの光信号の受光結果１６４を伝送するために、制御器１６０と接続されている。電極群１０１および電極群１０２の電極１０１１，電極１０２１，電極１０１２，電極１０２２，電極１０１４，電極１０２４，電極１０１５，電極１０２５以外の電極には、映像音声信号送信部１２０から出力される、低速信号線群１２０２が接続される。
【００４９】
制御信号１６１は、制御器１６０により２入力２出力マルチプレクサ群１４０を制御する制御信号である。制御信号１６２は、電光変換器群１５０を順次動作させるための電光変換器動作制御器１７０を起動させる制御器１６０からの起動信号である。出力選択信号１６３は、ｍ入力ｎ出力（ｍ＜ｎ）マルチプレクサ１３０の入出力関係を制御する制御器１６０からの制御信号である。制御器１６０は、接続制御を行うための制御装置である。
【００５０】
光電複合ケーブル２０は、図４で説明した光電複合ケーブルである。
【００５１】
伝送装置３０Ａは、映像音声信号の受信機能を有している。コネクタレセクタプル部３００は、図１で説明したコネクタレセクタプル部１００と同一のものである。また、同様に電極群３０１，電極群３０２は、図１で説明した電極群１０１，電極群１０２と同一のものである。さらに、電圧発生器３０４は、電圧発生器１０４と同じものであり、電極群３０１の電極１０１１，電極群３０２の電極１０２１に接続される。
【００５２】
電圧検出器３０５は、電圧検出器１０５と同じであり、電極群３０１の電極１０１５に接続され、その検出結果は、制御器３６０に接続されている。電極群３０２の電極１０２５には、電圧検出器３０６が接続され、その検出結果は、制御器３６０に接続されている。電極群３０１の電極１０１２および電極群３０２の電極１０２２には、制御器３６０から出力される光電復号器の受光結果３６５が接続される。
【００５３】
光ファイバ接続部群３０３は、コネクタレセクタプル部３００の光受信を行う機能を有し、図１で示した光ファイバ接続部群１０３と同一であり、図３で示したようにコネクタレセクタプル部の中心に点対称に、光信号受信用接続部１０３２，光信号受信用接続部１０３４，光信号受信用接続部１０３６，光信号受信用接続部１０３８，光信号受信用接続部１０３１０，光信号受信用接続部１０３１２，光信号受信用接続部１０３１４，光信号受信用接続部１０３１６が配置される。光ファイバ接続部群３０３は、後段に続く光電変換器群３５０に接続される。光電変換器群３５０で光電変換された電気信号は、２入力２出力マルチプレクサ群３４０に入力される。
【００５４】
図９に詳細な構造を示す。光ファイバ接続部群３０３のコネクタレセクタプル部の中心に対して点対称位置にある光信号受信用接続部１０３２と光信号受信用接続部１０３４は、光電変換器３５１、３５２に接続される。光電変換器３５１、３５２はそれぞれ２入力２出力マルチプレクサ３４１に接続され、受光信号が電気信号に変換されて、マルチプレクサに入力される。
【００５５】
光信号受信用接続部１０３２、１０３４は、光ファイバ接続部群３０３のコネクタレセクタプル部の中心に対して点対称位置にある。光電複合ケーブル２０のコネクタプラグ部２００の接続向きにより、コネクタレセクタプル部３００の（光信号受信用接続部１０３２、１０３４を含む）光ファイバ接続部群３０３と光電複合ケーブル２０のコネクタプラグ部２００の光ファイバ接続部群２０３との接続関係が入れ替わる。
【００５６】
したがって、２入力２出力マルチプレクサ３４１は、入力先である光電変換器３５１と光電変換器３５２を入れ替えることで、光電複合ケーブル２０のコネクタプラグ部２００の接続向きにより、コネクタレセクタプル部１００の光ファイバ接続部群３０３と光電複合ケーブル２０のコネクタプラグ部２００の光ファイバ接続部群２０３との接続関係が入れ替わった場合でも、入れ替わった接続関係を元の接続関係に戻すことができる。
【００５７】
同様に、光ファイバ接続部群３０３のコネクタレセクタプル部の中心に対して点対称位置にある光信号受信用接続部１０３６と光信号受信用接続部１０３８は、光電変換器３５３、３５４に接続される。光電変換器３５３、３５４はそれぞれ２入力２出力マルチプレクサ３４２に接続され、受光信号が電気信号に変換されて、マルチプレクサに入力される。
【００５８】
光ファイバ接続部群３０３のコネクタレセクタプル部の中心に対して点対称位置にある光信号受信用接続部１０３１０と光信号受信用接続部１０３１２は、光電変換器３５５、３５６に接続される。光電変換器３５５、３５６はそれぞれ２入力２出力マルチプレクサ３４３に接続され、受光信号が電気信号に変換されて、マルチプレクサに入力される。
【００５９】
光ファイバ接続部群３０３のコネクタレセクタプル部の中心に対して点対称位置にある光信号受信用接続部１０３１４と光信号受信用接続部１０３１６は、光電変換器３５７、３５８に接続される。光電変換器３５７、３５８はそれぞれ２入力２出力マルチプレクサ３４４に接続され、受光信号が電気信号に変換されて、それぞれのマルチプレクサに入力される。
【００６０】
２入力２出力マルチプレクサ３４２，３４３，３４４は、２入力２出力マルチプレクサ３４１と同様に、光電複合ケーブル２０のコネクタプラグ部２００の接続向きにより、コネクタレセクタプル部１００の光ファイバ接続部群３０３と光電複合ケーブル２０のコネクタプラグ部２００の光ファイバ接続部群２０３との接続関係が入れ替わった場合でも、それぞれの２入力２出力マルチプレクサ３４２，３４３，３４４の出力先を入れ替えることで、入れ替わった接続関係を元の接続関係に戻すことができる。
【００６１】
図７に戻って説明を続ける。２入力２出力マルチプレクサ３４１，３４２，３４３，３４４で構成される２入力２出力マルチプレクサ群３４０は、それぞれのマルチプレクサの出力が、ｎ入力ｍ出力（ｍ＜ｎ）のマルチプレクサ３３０のｎ本の入力ポートに接続される。ｎ入力ｍ出力（ｍ＜ｎ）のマルチプレクサ３３０の出力は、それぞれ対応する映像音声信号受信部３２０の高速信号線群３２０１に接続される。映像音声信号受信部３２０は、例えば、ＨＤＭＩ受信器であってもよいし、ＤｉｓｐｌａｙＰｏｒｔ受信器であってもよく、高速信号線群３２０１は、それぞれＴＭＤＳ信号であってもよいし、Ｍａｉｎ  Ｌｉｎｋ信号であってもよい。
【００６２】
ＣＥＣ／ＤＤＣやＡＵＸなど比較的低速な低速信号線群３２０２は、電極群３０１および電極群３０２の電極１０１１，電極１０２１，電極１０１２，電極１０２２，電極１０１４，電極１０２４，電極１０１５，電極１０２５以外の電極と接続され、映像音声信号受信部３２０に入力される。映像音声信号受信部３２０で復調処理された映像音声信号は、映像音声信号復号器３１０に入力され、最終的に映像音声信号として出力される。
【００６３】
制御器３６０は、接続制御を行うための制御装置である。制御信号３６１は、制御器３６０により２入力２出力マルチプレクサ群３４０を制御する制御信号である。受光結果３６２は、光電変換器群３５０からの受光結果の統合器３７０から出力され、各光電変換器からの受光結果を順次示す信号であり、制御器３６０に入力される。制御信号３６３は、ｎ入力ｍ出力（ｍ＜ｎ）マルチプレクサ３３０の入出力関係を制御する制御器３６０からの制御信号である。
【００６４】
（１−２．動作の説明）
続いて、本開示の第１の実施形態に係る信号伝送システム１Ａの動作の例について説明する。動作として、「コネクタプラグ部接続向き検出と光信号経路切替処理（１）」「有効光信号経路確認と光信号経路切替処理（２）」について、順に説明する。まず、「コネクタプラグ部接続向き検出と光信号経路切替処理（１）」について説明する。
【００６５】
伝送装置１０Ａのコネクタレセクタプル部１００と光電複合ケーブル２０のコネクタプラグ部２００とを接続し、伝送装置３０Ａのコネクタレセクタプル部３００と光電複合ケーブル２０のもう一方側のコネクタプラグ部２００とを接続する場合、コネクタプラグ部２００の接続向きにより、４種類の接続の場合がある。図１０から図１３でそれぞれの場合について示す。
【００６６】
まず、伝送装置１０Ａのコネクタレセクタプル部１００と光電複合ケーブル２０のコネクタプラグ部２００を上向きで接続し、伝送装置３０Ａのコネクタレセクタプル部３００と光電複合ケーブル２０のもう一方側のコネクタプラグ部２００を上向きで接続する場合における、伝送装置１０Ａの２入力２出力マルチプレクサ群１４０、電光変換器群１５０、コネクタレセクタプル部１００の光ファイバ接続部群１０３、光電複合ケーブル２０、伝送装置３０Ａのコネクタレセクタプル部３００の光ファイバ接続部群３０３、光電変換器群３５０、２入力２出力マルチプレクサ群３４０での接続関係と信号経路を、図１０Ａに示す。
【００６７】
例えば、伝送装置１０Ａの信号Ｄ１は、マルチプレクサ１４１の入力Ｉ−１に入力され、マルチプレクサ１４１の出力Ｏ−１が選択されて出力され、さらに電光変換器１５１、光信号送信用接続部１０３１を経て、光電複合ケーブル２０の光ファイバ接続部２０３２を介して、伝送装置３０Ａの光信号受信用接続部１０３２に入力される。さらに、信号Ｄ１は、光電変換器３５１、マルチプレクサ３４１の入力Ｉ−１に入力され、マルチプレクサ３４１の出力Ｏ−１が選択されて出力される。これは、伝送装置１０Ａの信号Ｄ１が正しく、伝送装置３０Ａの信号Ｄ１に伝送されることを表している。
【００６８】
他の信号Ｄ２からＤ８までも同様に、伝送装置１０Ａから伝送装置３０Ａまでの信号経路を示している。
【００６９】
この接続状態の場合、伝送装置１０Ａのコネクタレセクタプル部１００の電極群１０１の電極１０１１、１０１５と光電複合ケーブル２０のコネクタプラグ部２００の電極群２０１の電極２０１５、２０１１がそれぞれ接続されることになる。同時に、伝送装置３０Ａのコネクタレセクタプル部３００の電極群１０１の電極１０１１、１０１５と光電複合ケーブル２０のコネクタプラグ部２００の電極群２０１の電極２０１５、２０１１がそれぞれ接続されることになる。
【００７０】
したがって、伝送装置１０Ａの電圧検出器１０５には、接続先の伝送装置３０Ａの電圧発生器３０４からの電圧が、光電複合ケーブル２０を介して供給され、電圧検出器１０５は、この電圧を検出し、その結果を制御器１６０に伝える。一方、伝送装置１０Ａの電圧検出器１０６には、電極群１０２が何も接続されていないことから、何らかの電圧を検出することはなく、その結果を制御器１６０に伝える。
【００７１】
これにより、制御器１６０は、コネクタプラグ部が上向きに接続されたと判断し、２入力２出力マルチプレクサ群１４０のマルチプレクサ１４１，１４２，１４３，１４４のそれぞれの入出力を、Ｉ−１とＯ−１を接続し、Ｉ−２とＯ−２を接続するように、制御信号１６１により制御する。
【００７２】
同時に、伝送装置３０Ａの電圧検出器３０５には、接続先の伝送装置１０Ａの電圧発生器１０４からの電圧が、光電複合ケーブル２０を介して供給され、電圧検出器３０５は、この電圧を検出し、その結果を制御器３６０に伝える。一方、伝送装置３０Ａの電圧検出器３０６には、電極群３０２が何も接続されていないことから、何らかの電圧を検出することはなく、その結果を制御器３６０に伝える。
【００７３】
これにより、制御器３６０は、コネクタプラグ部が上向きに接続されたと判断し、２入力２出力マルチプレクサ群３４０のマルチプレクサ３４１，３４２，３４３，３４４のそれぞれの入出力を、Ｉ−１とＯ−１を接続し、Ｉ−２とＯ−２を接続するように、制御信号３６１により制御する。
【００７４】
これにより、図１０Ｂで示すように、伝送装置１０Ａから伝送装置３０Ａへの正しい伝送経路が確立される。
【００７５】
また、伝送装置１０Ａのコネクタレセクタプル部１００と光電複合ケーブル２０のコネクタプラグ部２００を下向きで接続し、伝送装置３０Ａのコネクタレセクタプル部３００と光電複合ケーブル２０のもう一方側のコネクタプラグ部２００を上向きで接続する場合における、伝送装置１０Ａの２入力２出力マルチプレクサ群１４０、電光変換器群１５０、コネクタレセクタプル部１００の光ファイバ接続部群１０３、光電複合ケーブル２０、伝送装置３０Ａのコネクタレセクタプル部３００の光ファイバ接続部群３０３、光電変換器群３５０、２入力２出力マルチプレクサ群３４０での接続関係と信号経路を、図１１Ａに示す。
【００７６】
この場合、伝送装置１０Ａのコネクタレセクタプル部１００の光ファイバ接続部群１０３と光電複合ケーブル２０のコネクタプラグ部２００の光ファイバ接続部群２０３の接続が、上向きで接続した場合と異なる。つまり、光信号送信用接続部１０３１と光ファイバ接続部２０３４、光信号送信用接続部１０３３と光ファイバ接続部２０３２、光信号送信用接続部１０３５と光ファイバ接続部２０３８、光信号送信用接続部１０３７と光ファイバ接続部２０３６、光信号送信用接続部１０３９と光ファイバ接続部２０３１２、光信号送信用接続部１０３１１と光ファイバ接続部２０３１０、光信号送信用接続部１０３１３と光ファイバ接続部２０３１６、光信号送信用接続部１０３１５と光ファイバ接続部２０３１４が接続される。
【００７７】
これは、図１０Ａで示したままの状態では、伝送装置１０Ａの信号Ｄ１が、伝送装置３０Ａの信号Ｄ２に、誤って伝送されることを表している。他の信号Ｄ２からＤ８までも同様に、伝送装置１０Ａから伝送装置３０Ａまで、誤って伝送されてしまう。２入力２出力マルチプレクサを操作することによって、かかる状況を改善する。
【００７８】
この接続状態の場合、伝送装置１０Ａのコネクタレセクタプル部１００の電極群１０２の電極１０２１、１０２５と光電複合ケーブル２０のコネクタプラグ部２００の電極群２０１の電極２０１５、２０１１がそれぞれ接続されることになる。同時に、伝送装置３０Ａのコネクタレセクタプル部３００の電極群１０１の電極１０１１、１０１５と光電複合ケーブル２０のコネクタプラグ部２００の電極群２０１の電極２０１５、２０１１がそれぞれ接続されることになる。
【００７９】
したがって、伝送装置１０Ａの電圧検出器１０６には、接続先の伝送装置２０Ａの電圧発生器３０４からの電圧が、光電複合ケーブル２０を介して供給され、電圧検出器１０６は、この電圧を検出し、その結果を制御器１６０に伝える。一方、伝送装置１０Ａの電圧検出器１０５には、電極群１０１が何も接続されていないことから、何らかの電圧を検出することはなく、その結果を制御器１６０に伝える。
【００８０】
これにより、制御器１６０は、コネクタプラグ部が下向きに接続されたと判断し、２入力２出力マルチプレクサ群１４０のマルチプレクサ１４１，１４２，１４３，１４４のそれぞれの入出力を、Ｉ−１とＯ−２を接続し、Ｉ−２とＯ−１を接続するように、制御信号１６１により制御する。
【００８１】
同時に、伝送装置３０Ａの電圧検出器３０５には、接続先の伝送装置１０Ａの電圧発生器１０４からの電圧が、光電複合ケーブル２０を介して供給され、電圧検出器３０５は、この電圧を検出し、その結果を制御器３６０に伝える。一方、伝送装置３０Ａの電圧検出器３０６には、電極群３０２が何も接続されていないことから、何らかの電圧を検出することはなく、その結果を制御器３６０に伝える。
【００８２】
これにより、制御器３６０は、コネクタプラグ部が上向きに接続されたと判断し、２入力２出力マルチプレクサ群３４０のマルチプレクサ３４１，３４２，３４３，３４４のそれぞれの入出力を、Ｉ−１とＯ−１を接続し、Ｉ−２とＯ−２を接続するように、制御信号３６１により制御する。
【００８３】
これにより、図１１Ｂで示すように、伝送装置１０Ａと光電複合ケーブル２０との間のコネクタ接続向きによる信号入れ替わりを、２入力２出力マルチプレクサ群１４０を操作することで、元に戻すことによって（信号をさらに入れ替えることによって）、伝送装置１０Ａから伝送装置３０Ａへの正しい伝送経路が確立される。
【００８４】
また、図１１で説明した場合とは逆に、伝送装置１０Ａのコネクタレセクタプル部１００と光電複合ケーブル２０のコネクタプラグ部２００を上向きで接続し、伝送装置３０Ａのコネクタレセクタプル部３００と光電複合ケーブル２０のもう一方側のコネクタプラグ部２００を下向きで接続する場合における、伝送装置１０Ａの２入力２出力マルチプレクサ群１４０、電光変換器群１５０、コネクタレセクタプル部１００の光ファイバ接続部群１０３、光電複合ケーブル２０、伝送装置３０Ａのコネクタレセクタプル部３００の光ファイバ接続部群３０３、光電変換器群３５０、２入力２出力マルチプレクサ群３４０での接続関係と信号経路を図１２Ａに示す。
【００８５】
これも、図１１Ａで説明した状態と同様に、図１０Ａで示したままの状態では、伝送装置１０の信号Ｄ１が、伝送装置３０の信号Ｄ２に、誤って伝送されることを表している。他の信号Ｄ２からＤ８までも同様に、伝送装置１０Ａから伝送装置３０Ａまで、誤って伝送されてしまう。２入力２出力マルチプレクサを操作することによって、かかる状況を改善する。
【００８６】
この接続状態の場合、伝送装置１０Ａのコネクタレセクタプル部１００の電極群１０１の電極１０１１、１０１５と光電複合ケーブル２０のコネクタプラグ部２００の電極群２０１の電極２０１５、２０１１がそれぞれ接続されることになる。同時に、伝送装置３０Ａのコネクタレセクタプル部３００の電極群１０１の電極１０１１、１０１５と光電複合ケーブルのコネクタプラグ部２００の電極群２０１の電極２０１５、２０１１がそれぞれ接続されることになる。
【００８７】
したがって、伝送装置１０Ａの電圧検出器１０５には、接続先の伝送装置３０Ａの電圧発生器３０４からの電圧が、光電複合ケーブル２０を介して供給され、電圧検出器１０５は、この電圧を検出し、その結果を制御器１６０に伝える。一方、伝送装置１０Ａの電圧検出器１０６には、電極群１０２が何も接続されていないことから、何らかの電圧を検出することはなく、その結果を制御器１６０に伝える。
【００８８】
これにより、制御器１６０は、コネクタプラグ部が上向きに接続されたと判断し、２入力２出力マルチプレクサ群１４０のマルチプレクサ１４１，１４２，１４３，１４４のそれぞれの入出力を、Ｉ−１とＯ−１を接続し、Ｉ−２とＯ−２を接続するように、制御信号１６１により制御する。
【００８９】
同時に、伝送装置３０Ａの電圧検出器３０６には、接続先の伝送装置１０Ａの電圧発生器１０４からの電圧が、光電複合ケーブル２０を介して供給され、電圧検出器３０６は、この電圧を検出し、その結果を制御器３６０に伝える。一方、伝送装置３０Ａの電圧検出器３０５には、電極群３０１が何も接続されていないことから、何らかの電圧を検出することはなく、その結果を制御器３６０に伝える。
【００９０】
これにより、制御器３６０は、コネクタプラグ部が下向きに接続されたと判断し、２入力２出力マルチプレクサ群３４０のマルチプレクサ３４１，３４２，３４３，３４４のそれぞれの入出力を、Ｉ−１とＯ−２を接続し、Ｉ−２とＯ−１を接続するように、制御信号３６１により制御する。
【００９１】
これにより、図１２Ｂで示すように，伝送装置１０Ａから伝送装置３０Ａへの正しい伝送経路が確立される。
【００９２】
また、伝送装置１０Ａのコネクタレセクタプル部１００と光電複合ケーブル２０のコネクタプラグ部２００を下向きで接続し、伝送装置３０Ａのコネクタレセクタプル部３００と光電複合ケーブル２０のもう一方側のコネクタプラグ部２００も下向きで接続する場合における、伝送装置１０Ａの２入力２出力マルチプレクサ群１４０、電光変換器群１５０、コネクタレセクタプル部１００の光ファイバ接続部群１０３、光電複合ケーブル２０、伝送装置３０Ａのコネクタレセクタプル部３００の光ファイバ接続部群３０３、光電変換器群３５０、２入力２出力マルチプレクサ群３４０での接続関係と信号経路を、図１３Ａに示す。
【００９３】
この場合は、伝送装置１０Ａの信号が、伝送装置３０Ａの信号に、正しく伝送されることになる。しかし、これまで説明した通り、伝送装置１０Ａのコネクタレセクタプル部１００と光電複合ケーブル２０が下向きで接続されたときの処理、および、伝送装置３０Ａのコネクタレセクタプル部３００と光電複合ケーブル２０のコネクタプラグ部２００が下向きで接続されたときの処理と同じ処理を行う。
【００９４】
つまり、伝送装置１０Ａの電圧検出器１０６には、接続先の伝送装置３０Ａの電圧発生器３０４からの電圧が、光電複合ケーブル２０を介して供給され、電圧検出器１０６は、この電圧を検出し、その結果を制御器１６０に伝える。一方、伝送装置１０Ａの電圧検出器１０５には、電極群１０１が何も接続されていないことから、何らかの電圧を検出することはなく、その結果を制御器１６０に伝える。
【００９５】
これにより、制御器１６０は、コネクタプラグ部が下向きに接続されたと判断し、２入力２出力マルチプレクサ群１４０のマルチプレクサ１４１，１４２，１４３，１４４のそれぞれの入出力を、Ｉ−１とＯ−２を接続し、Ｉ−２とＯ−１を接続するように、制御信号１６１により制御する。
【００９６】
同様に、伝送装置３０Ａの電圧検出器３０６には、接続先の伝送装置１０Ａの電圧発生器１０４からの電圧が、光電複合ケーブル２０を介して供給され、電圧検出器３０６は、この電圧を検出し、その結果を制御器３６０に伝える。一方、伝送装置３０Ａの電圧検出器３０５には、電極群３０１が何も接続されていないことから、何らかの電圧を検出することはなく、その結果を制御器３６０に伝える。
【００９７】
これにより、制御器３６０は、コネクタプラグ部が下向きに接続されたと判断し、２入力２出力マルチプレクサ群３４０のマルチプレクサ３４１，３４２，３４３，３４４のそれぞれの入出力を、Ｉ−１とＯ−２を接続し、Ｉ−２とＯ−１を接続するように、制御信号３６１により制御する。
【００９８】
これにより、図１３Ｂで示すように，伝送装置１０Ａから伝送装置３０Ａへの正しい伝送経路が確立される。
【００９９】
これら処理により、伝送装置１０Ａおよび伝送装置３０Ａそれぞれは、お互いに相手と光電複合ケーブル２０との接続向きを知ることなく、お互いに相手と光電複合ケーブル２０とがどのような接続関係にあったとしても、その状態に関わらず光信号を正しく伝送することが可能となる。
【０１００】
続いて、「有効光信号経路確認と光信号経路切替処理（２）」について説明する。上記したように光信号伝送では、光デバイスの不具合や、光ファイバ接続部への塵埃混入や、光ファイバ断線などの要因により、光信号伝送に不具合が生じる場合がある。これを防ぐために、信号伝送に必要な光信号経路に対して、冗長な光信号経路を用意し、光信号経路に不具合が生じた場合も、それ以外の冗長な経路を使用する。
【０１０１】
本実施形態における有効信号経路確認手順を、図７、図１４および図１５を用いて説明する。伝送装置１０Ａのコネクタレセクタプル部１００と光電複合ケーブル２０のコネクタプラグ部２００とが接続され、伝送装置３０Ａのコネクタレセクタプル部３００と光電複合ケーブル２０のもう一方側のコネクタプラグ部２００とが接続された時点で、既に説明したように、電圧発生器１０４および電圧発生器３０４から、光電複合ケーブル２０を介して、電圧検出器１０５，３０５、もしくは、電圧検出器１０６，３０６が電圧を検出し、それぞれその結果を制御器１６０，３６０に出力する。
【０１０２】
伝送装置１０Ａの制御器１６０は、電圧検出器１０５、もしくは、電圧検出器１０６が一定レベル以上の電圧を検出した時点（図１４、図１５の（１）の時刻「０」）で、電光変換器動作制御器１７０を、制御信号１６２により起動させる。電光変換器動作制御器１７０は、電光変換器群１５０の電光変換器１５１，１５２，…，１５８を一定時間Ｔ毎に、順次、一定時間ｔｏ（Ｔ＞ｔｏ）だけ光信号を発振させる電光変換器動作制御器１７０を、制御信号１６２により起動させる。これにより、電光変換器１５１，１５２，…，１５８が一定時間Ｔ毎に、順次、一定時間ｔｏ（Ｔ＞ｔｏ）だけ光信号を発振する（図１４、図１５の（２））。
【０１０３】
一方、伝送装置３０Ａの制御器３６０は、電圧検出器３０５、もしくは、電圧検出器３０６が一定レベル以上の電圧を検出した時点（図１４、図１５の（４）の時刻「０」）から、８＊Ｔ（光電変換器の実装個数＊一定時間Ｔ）時間、光電変換器群３５０からの受光結果３６２を待ち受ける。光電変換器３５１，３５２，…，３５８は、伝送装置１０Ａの光電変換器群３５０からの光信号を、光電複合ケーブル２０を介して受光し、電気信号に変換した結果を順次、統合器３７０に出力する（図１４の（５））。各光電変換器の出力を統合した８＊Ｔ時間の受光信号結果とそれに対応する光電変換器番号（図７の３６２）（図１４の（６））は、制御器３６０に入力される。
【０１０４】
制御器３６０は、受光信号結果とそれに対応する光電変換器番号（図７の３６２）により、有効な光信号経路を判断する。図１４では、光電変換器３５１，３５２，…，３５８すべてが受光できたことを示し、すべて有効な光信号経路であると判断できる。一方、図１５に示した例では、なんらの原因により、所定の時刻において光電変換器３５２の受光出力が出力されない（図１５の（５））。結果として、無出力の光電変換器３５２を含む各光電変換器の出力を統合した８＊Ｔ時間の受光信号結果とそれに対応する光電変換器番号（図１５の（６））は、制御器３６０に入力される。
【０１０５】
制御器３６０は、光電変換器３５２を除く光電変換器３５１，３５３，…，３５８が有効な光信号経路であると判断できる。さらに、制御器３６０は、受光結果３６５を出力する（図１４、図１５の（７））。受光結果３６５は、光電複合ケーブル２０を介して、伝送装置１０Ａの制御器１６０に入力される。制御器１６０は、電圧検出器１０５、もしくは電圧検出器１０６が一定レベル以上の電圧を検出した時点（図１４、図１５の（１）の時刻「０」）を起点としてＴ時間ごとに、伝送装置３０Ａから入力された受光結果１６４（図１４，図１５の（３））により、有効な光信号経路を判断する。つまり、Ｔ時間ごとに電光変換器が発振されているので、その発振期間中に、伝送装置３０から入力された受光結果１６４が受光している（ハイレベル）ならば、その電光変換器は有効であると判断する。
【０１０６】
図１４に示した例では、電光変換器１５１，１５２，…，１５８すべてが有効であることを示しており、一方、図１５に示した例では、電光変換器１５２を除く電光変換器１５１，１５３，…，１５８が有効な光信号経路であると判断できる。
【０１０７】
伝送装置１０Ａの制御器１６０は、有効な光信号経路の判断が終了後（図１４，図１５で８Ｔ時間後以降）、ｍ入力ｎ出力（ｍ＜ｎ）マルチプレクサ１３０の入出力関係を制御信号１６３で制御する。制御器１６０は、ｍ本の入力高速信号線に対して、有効な光信号経路本数がｍ本以上であれば、入力高速信号線の１番目からｍ番目までを順次、マルチプレクサの出力の１番目からｍ番目までを接続する。一方、制御器１６０は、有効でない光信号経路の出力は使用しないで飛ばして接続する。
【０１０８】
例えば、図７に示した例において、映像音声信号送信部１２０がＨＤＭＩの場合、高速信号線群１２０１は、ＴＭＤＳ信号３本とＴＭＤＳクロック信号１本の計４本である。図１４に示したように、すべての光信号経路が有効な場合、制御器１６０は、図１６に示す４入力８出力マルチプレクサ１３０の入力Ｉ−１をＯ−１に、Ｉ−２をＯ−２に、Ｉ−３をＯ−３に、Ｉ−４をＯ−４にそれぞれ接続するように制御する。
【０１０９】
図１５に示したように、電光変換器１５２の経路が有効でない場合、制御器１６０は、図１６に示す４入力８出力マルチプレクサ１３０の入力Ｉ−１をＯ−１に、Ｉ−２をＯ−３に、Ｉ−３をＯ−４に、Ｉ−４をＯ−５にそれぞれ接続するように制御する。
【０１１０】
同様に、伝送装置３０Ａの制御器３６０は、有効な光信号経路の判断が終了後（図１４，図１５で８Ｔ時間後以降）、ｎ入力ｍ出力（ｍ＜ｎ）マルチプレクサ３３０の入出力関係を制御信号３６３で制御する。制御器３６０は、ｍ本の出力高速信号線に対して、有効な光信号経路本数がｍ本以上であれば、入力信号の１番目からｍ番目までを順次、マルチプレクサの出力の１番目からｍ番目までを接続する。制御器３６０は、有効でない光信号経路の入力は使用しないで飛ばして接続する。
【０１１１】
図１４に示したように、すべての光信号経路が有効な場合、制御器３６０は、図１７に示す８入力４出力マルチプレクサ３３０の入力Ｉ−１をＯ−１に、Ｉ−２をＯ−２に、Ｉ−３をＯ−３に、Ｉ−４をＯ−４にそれぞれ接続するように制御する。図１５のように光電変換器３５２の経路が有効でない場合、制御器３６０は、図１６に示す８入力４出力マルチプレクサ３３０の入力Ｉ−１をＯ−１に、Ｉ−３をＯ−２に、Ｉ−４をＯ−３に、Ｉ−５をＯ−４にそれぞれ接続するように制御する。
【０１１２】
このような操作により、光信号経路に不具合があった場合でも、その信号経路を使用しないで、有効な信号経路のみを使用することで、正常に光信号を伝送することができる。
【０１１３】
（２．第２の実施形態）
続いて、第２の実施形態について説明する。
【０１１４】
（２−１．信号伝送システムの構成）
第２の実施形態に係る信号伝送システム１Ｂの構成例について説明する。図１８は、第２の実施形態に係る信号伝送システム１Ｂの全体構成図である。図１８に示したように、図７に示した信号伝送システム１Ａが伝送装置１０Ａおよび伝送装置３０Ａを備えるのに対して、第２の実施形態に係る信号伝送システム１Ｂは、伝送装置１０Ｂおよび伝送装置３０Ｂを備える。
【０１１５】
図７に示した例においては、伝送装置１０Ａの２入力２出力マルチプレクサ群１４０、および、伝送装置３０Ａの２入力２出力マルチプレクサ群３４０は、電気信号での切り替えを行うこととされた。一方、図１８に示した例においては、伝送装置１０Ｂの２入力２出力マルチプレクサ群１８０、および、伝送装置３０Ｂの２入力２出力マルチプレクサ群３８０は、電光変換後の光信号、もしくは、光電変換前の光信号での切り替えを行う。図１８に示した例のうち、その他については、図７に示した例と同様である。
【０１１６】
（３．むすび）
以上説明したように、本開示の実施形態によれば、光電複合ケーブル２０に接続されるコネクタレセクタプル部１００を備え、コネクタレセクタプル部１００は、電極群１０１と、コネクタレセクタプル部１００の本体の中心を基準として電極群１０１を１８０度回転させた位置に設けられた電極群１０２と、第１の光信号送信用接続部群と、コネクタレセクタプル部１００の本体の中心を基準として第１の光信号送信用接続部群を１８０度回転させた位置に設けられた第２の光信号送信用接続部群と、を備える、伝送装置（送信装置）１０Ａが提供される。
【０１１７】
かかる構成によれば、簡単な回路構成によって光伝送における信頼性と伝送装置およびケーブルの接続時の利便性とを向上させることが可能となる。
【０１１８】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１１９】
例えば、伝送装置（送信装置）１０が備える各機能ブロックは、別個のＩＣ（Ｉｎｔｅｇｒａｔｅｄ  Ｃｉｒｃｕｉｔ）に実装されてもよいし、いずれかの組み合わせが同一のＩＣに実装されてもよい。また、例えば、伝送装置（受信装置）３０が備える各機能ブロックは、別個のＩＣに実装されてもよいし、いずれかの組み合わせが同一のＩＣに実装されてもよい。
【０１２０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【０１２１】
なお、以下のような構成も本開示の技術的範囲に属する。
（１）
光電複合ケーブルに接続されるコネクタレセクタプル部を備え、
前記コネクタレセクタプル部は、
第１の電極群と、
前記コネクタレセクタプル部の本体の中心を基準として前記第１の電極群を１８０度回転させた位置に設けられた第２の電極群と、
第１の光信号送信用接続部群と、
前記コネクタレセクタプル部の本体の中心を基準として前記第１の光信号送信用接続部群を１８０度回転させた位置に設けられた第２の光信号送信用接続部群と、
を備える、送信装置。
（２）
前記第１の電極群は、前記コネクタレセクタプル部と前記光電複合ケーブルのコネクタプラグ部とが第１の向きで接続されている場合、前記光電複合ケーブルのコネクタプラグ部が有する複数の電極に接続される、
前記（１）に記載の送信装置。
（３）
前記第２の電極群は、前記コネクタレセクタプル部と前記光電複合ケーブルのコネクタプラグ部とが前記第１の向きとは逆向きの第２の向きで接続されている場合、前記光電複合ケーブルのコネクタプラグ部が有する前記複数の電極に接続される、
前記（２）に記載の送信装置。
（４）
前記第１の光信号送信用接続部群は、前記コネクタレセクタプル部と前記光電複合ケーブルのコネクタプラグ部とが前記第１の向きで接続されている場合、前記光電複合ケーブルが有する第１の光ファイバ群に接続される、
前記（３）に記載の送信装置。
（５）
前記第１の光信号送信用接続部群は、前記コネクタレセクタプル部と前記光電複合ケーブルのコネクタプラグ部とが前記第２の向きで接続されている場合、前記光電複合ケーブルが有する第２の光ファイバ群に接続される、
前記（４）に記載の送信装置。
（６）
前記第１の電極群は、第１の電圧検出用電極を有し、
前記第２の電極群は、前記コネクタレセクタプル部の本体の中心を基準として前記第１の電圧検出用電極を１８０度回転させた位置に設けられた第２の電圧検出用電極を有し、
前記送信装置は、
受信装置によって前記光電複合ケーブルを介して前記第１の電圧検出用電極に印加された電圧を検出する第１の電圧検出部と、
前記受信装置によって前記光電複合ケーブルを介して前記第２の電圧検出用電極に印加された電圧を検出する第２の電圧検出部と、を有する、
前記（１）〜（５）のいずれか一項に記載の送信装置。
（７）
前記送信装置は、
前記第１の電圧検出用電極に印加された所定レベルの電圧が検出された場合と前記第２の電圧検出用電極に印加された前記所定レベルの電圧が検出された場合とにおいて、第１の光信号送信用接続部群への入力信号と第２の光信号送信用接続部群への入力信号とが入れ替わるように制御する制御部を備える、
前記（６）に記載の送信装置。
（８）
前記送信装置は、
前記第１の電圧検出用電極または前記第２の電圧検出用電極に印加された所定レベルの電圧が検出された場合、第１の光信号送信用接続部群および第２の光信号送信用接続部群に繋がる電光変換器による光信号の発振を制御する制御部を備える、
前記（６）に記載の送信装置。
（９）
前記制御部は、前記発振の結果として判断された前記第１の光信号送信用接続部群および前記第２の光信号送信用接続部群それぞれの有効性に基づいて、使用される信号経路を制御する、
前記（８）に記載の送信装置。
（１０）
前記送信装置は、
前記第１の電極群は、第１の電圧印加用電極を有し、
前記第２の電極群は、前記コネクタレセクタプル部の本体の中心を基準として前記第１の電圧印加用電極を１８０度回転させた位置に設けられた第２の電圧印加用電極を有し、
前記送信装置は、
前記第１の電圧印加用電極および前記第２の電圧印加用電極に対して所定レベルの電圧を印加する電圧発生部を有する、
前記（１）〜（６）のいずれか一項に記載の送信装置。
（１１）
光電複合ケーブルに接続されるコネクタレセクタプル部を備え、
前記コネクタレセクタプル部は、
第１の電極群と、
前記コネクタレセクタプル部の本体の中心を基準として前記第１の電極群を１８０度回転させた位置に設けられた第２の電極群と、
第１の光信号受信用接続部群と、
前記コネクタレセクタプル部の本体の中心を基準として前記第１の光信号受信用接続部群を１８０度回転させた位置に設けられた第２の光信号受信用接続部群と、
を備える、受信装置。
（１２）
前記第１の電極群は、前記コネクタレセクタプル部と前記光電複合ケーブルとが第１の向きで接続されている場合、前記光電複合ケーブルのコネクタプラグ部が有する複数の電極に接続される、
前記（１１）に記載の受信装置。
（１３）
前記第２の電極群は、前記コネクタレセクタプル部と前記光電複合ケーブルとが前記第１の向きとは逆向きの第２の向きで接続されている場合、前記光電複合ケーブルのコネクタプラグ部が有する複数の電極に接続される、
前記（１２）に記載の受信装置。
（１４）
前記第１の光信号受信用接続部群は、前記コネクタレセクタプル部と前記光電複合ケーブルのコネクタプラグ部とが前記第１の向きで接続されている場合、前記光電複合ケーブルが有する第１の光ファイバ群に接続される、
前記（１３）に記載の受信装置。
（１５）
前記第１の光信号受信用接続部群は、前記コネクタレセクタプル部と前記光電複合ケーブルのコネクタプラグ部とが前記第２の向きで接続されている場合、前記光電複合ケーブルが有する第２の光ファイバ群に接続される、
前記（１４）に記載の受信装置。
（１６）
前記第１の電極群は、第１の電圧検出用電極を有し、
前記第２の電極群は、前記コネクタレセクタプル部の本体の中心を基準として前記第１の電圧検出用電極を１８０度回転させた位置に設けられた第２の電圧検出用電極を有し、
前記受信装置は、
送信装置によって前記光電複合ケーブルを介して前記第１の電圧検出用電極に印加された電圧を検出する第１の電圧検出部と、
前記送信装置によって前記光電複合ケーブルを介して前記第２の電圧検出用電極に印加された電圧を検出する第２の電圧検出部と、を有する、
前記（１１）〜（１５）のいずれか一項に記載の受信装置。
（１７）
前記受信装置は、
前記第１の電圧検出用電極に印加された所定レベルの電圧が検出された場合と前記第２の電圧検出用電極に印加された前記所定レベルの電圧が検出された場合とにおいて、第１の光信号受信用接続部群からの信号出力先と第２の光信号受信用接続部群からの信号出力先とが入れ替わるように制御する制御部を備える、
前記（１６）に記載の受信装置。
（１８）
前記受信装置は、
前記第１の電圧検出用電極または前記第２の電圧検出用電極に印加された所定レベルの電圧が検出された場合、第１の光信号受信用接続部群および第２の光信号受信用接続部群に繋がる光電変換器群における受光結果に基づいて、前記第１の光信号受信用接続部群および前記第２の光信号受信用接続部群それぞれの有効性を判断する制御部を備える、
前記（１６）に記載の受信装置。
（１９）
前記制御部は、前記第１の光信号受信用接続部群および前記第２の光信号受信用接続部群それぞれの有効性に基づいて、使用される信号経路を制御する、
前記（１８）に記載の受信装置。
（２０）
前記受信装置は、
前記第１の電極群は、第１の電圧印加用電極を有し、
前記第２の電極群は、前記コネクタレセクタプル部の本体の中心を基準として前記第１の電圧印加用電極を１８０度回転させた位置に設けられた第２の電圧印加用電極を有し、
前記受信装置は、
前記第１の電圧印加用電極および前記第２の電圧印加用電極に対して所定レベルの電圧を印加する電圧発生部を有する、
前記（１１）〜（１５）のいずれか一項に記載の受信装置。
（２１）
送信装置に接続される送信側コネクタプラグ部を有し、
前記送信側コネクタプラグ部は、
前記送信装置のコネクタレセクタプル部が有する第１の電極群または第２の電極群と接続される送信側電極群と、
前記送信装置のコネクタレセクタプル部が有する光信号送信用接続部群と接続される光ファイバ群と、
を備える、光電複合ケーブル。
（２２）
前記光電複合ケーブルは、
受信装置に接続される受信側コネクタプラグ部を有し、
前記受信側コネクタプラグ部は、
前記受信装置のコネクタレセクタプル部が有する第１の電極群または第２の電極群と接続される受信側電極群と、
前記送信側電極群と前記受信側電極群とを接続する金属線と、
を備える、前記（２１）に記載の光電複合ケーブル。
【符号の説明】
【０１２２】
１（１Ａ、１Ｂ）  信号伝送システム
１０（１０Ａ、１０Ｂ）  伝送装置（送信装置）
１００  コネクタレセクタプル部
１０１  電極群
１０２  電極群
１０３  光ファイバ接続部群
１０４  電圧発生器
１０５  電圧検出器
１０６  電圧検出器
１２０  映像音声信号送信部
１３０  マルチプレクサ
１４０  マルチプレクサ群
１５０  電光変換器群
１６０  制御器
１７０  電光変換器動作制御器
２０    光電複合ケーブル
２００  コネクタプラグ部
２０１  電極群
２０３  光ファイバ接続部群
２０４  ケーブル
３０（３０Ａ、３０Ｂ）  伝送装置（受信装置）
３００  コネクタレセクタプル部
３０１  電極群
３０２  電極群
３０３  光ファイバ接続部群
３０４  電圧発生器
３０５  電圧検出器
３０６  電圧検出器
３１０  映像音声信号復号器
３２０  映像音声信号受信部
３５０  光電変換器群
３６０  制御器
３６５  受光結果
３７０  統合器
【図１】
2018135065.tif 000003
【図２】
2018135065.tif 000004
【図３】
2018135065.tif 000005
【図４】
2018135065.tif 000006
【図５】
2018135065.tif 000007
【図６】
2018135065.tif 000008
【図７】
2018135065.tif 000009
【図８】
2018135065.tif 000010
【図９】
2018135065.tif 000011
【図１０Ａ】
2018135065.tif 000012
【図１０Ｂ】
2018135065.tif 000013
【図１１Ａ】
2018135065.tif 000014
【図１１Ｂ】
2018135065.tif 000015
【図１２Ａ】
2018135065.tif 000016
【図１２Ｂ】
2018135065.tif 000017
【図１３Ａ】
2018135065.tif 000018
【図１３Ｂ】
2018135065.tif 000019
【図１４】
2018135065.tif 000020
【図１５】
2018135065.tif 000021
【図１６】
2018135065.tif 000022
【図１７】
2018135065.tif 000023
【図１８】
2018135065.tif 000024
【国際調査報告】
2018135065.tif 000025
2018135065.tif 000026
2018135065.tif 000027
2018135065.tif 000028